(57)【特許請求の範囲】
【請求項１】
正面に係合穴が設けられた電磁接触器と、背面に設けられたＬ字型突起を前記係合穴に挿入して下方向へスライドさせることによって前記電磁接触器の正面に装着されるヘッドオンタイプの補助接点ユニットとを接続する電磁接触器−補助接点ユニット接続構造であって、
前記電磁接触器は、正面に凹部を備え、
前記補助接点ユニットは、補助接点間にアークが発生することを防止する電気的絶縁用バリアが設けられたケースと、前記背面を上方へ延伸して板バネ状に形成された着脱操作部を備え、
前記着脱操作部は、前記電磁接触器に前記補助接点ユニットが装着された際に前記凹部と係合する係合用突起と、スリットによって二股に分けられた上部先端部と、二股に分けられた前記上部先端部の双方に跨がるストッパとを有し、
前記着脱操作部が前記補助接点ユニットの正面側へ撓められた際に、前記スリットに前記電気的絶縁用バリアが挿入されて該電気的絶縁用バリアとの干渉が防止され、前記ストッパと前記電気的絶縁用バリアとが当接する位置で前記補助接点ユニットの正面側への撓みが規制されるとともに、前記係合用突起と前記凹部との係合が解除されることを特徴とする電磁接触器−補助接点ユニット接続構造。
【請求項２】
前記着脱操作部は、先端近傍が前記補助接点ユニットの正面側へ曲げられて指掛け部が形成されていることを特徴とする請求項１に記載の電磁接触器−補助接点ユニット接続構造。
【発明の詳細な説明】
【技術分野】
【０００１】
本発明は、電磁接触器とヘッドオンタイプの補助接点ユニットとを着脱するための電磁接触器−補助接点ユニット接続構造に関する。
【背景技術】
【０００２】
電磁接触器は、主回路接点と補助回路接点とを備えた接点部分を有し、例えば電磁接触器本体に組み込まれた補助接点数以上の補助接点が必要な場合、補助接点ユニットを電磁接触器本体に取り付けて使用している。電磁接触器の正面手前側に取り付けるものをヘッドオンと言い、電磁接触器の側面に取り付けるものをサイドオンと言う。
【０００３】
従来、特許文献１にあるように、電磁接触器本体のベースに摺動自在に支持された本体クロスバと係合して連動する補助接点ユニットクロスバを摺動自在に支持し、本体クロスバの動作方向と直交する方向から挿入して電磁接触器本体のベースに固定保持される補助接点ユニットベースと、電磁接触器本体のベースに設けた係合穴と係合する係合爪を備えたストッパとを有するヘッドオンタイプの補助接点ユニットがある。特許文献１では、補助接点ユニットのストッパに補助接点ユニットベースを電磁接触器本体のベースに挿入する方向に垂直に力が働くように作用する弾性部を設け、電磁接触器本体のベースの係合穴及びストッパの係合爪の係合面をストッパの摺動方向とほぼ平行に形成し、そのストッパが電磁接触器本体に対し垂直に摺動させるガイド部を補助接点ユニットベースに備え、補助接点ユニット及び電磁接触器本体に固定溝と係合穴を設けている。
【０００４】
また、特許文献２では、補助接点ユニットの両側下方に左右一対の支脚板を平行に突設し、この支脚片の内側の前後に相対方向に突出する押込み係合片を設けて、この押込み係合片を電磁接触器上面の前後に設けた左右一対の鉤型状の係合受片に係合させるように構成している。そして、補助接点ユニットの押込み係合片の損傷を防止するとともに、電磁接触器の前後の係合受片間を補助接点ユニットの前部の押込み係合片が嵌合可能な間隔に設定し、かつ補助接点ユニットの前後の押込み係合片間を電磁接触器の後部の係合受片が嵌合可能な間隔に設定するとともに、補助接点ユニットの左右の支脚板内面間を電磁接触器の左右の係合受片の外側面間の寸法にほぼ等しい間隔に設定している。この構成において、補助接点ユニットの前部の押込み係合片を電磁接触器の前後の係合受片間に嵌合しながら支脚片を左右の係合受片間に嵌合することにより、補助接点ユニットを電磁接触器上に装着する際に補助接点ユニットを装着方向に向けて正確に位置決めし、互いに係合しあう補助接点作動体の押込み連結片と接点作動体の連結受片並びに押込み係合片と係合受片とを円滑かつ確実にスライド係合させることが可能である。
【先行技術文献】
【特許文献】
【０００５】
【特許文献１】特開平６−３１００１２号公報
【特許文献２】実開平１−４４５５１号公報
【発明の概要】
【発明が解決しようとする課題】
【０００６】
特許文献１に記載の開閉器は、補助接点ユニットベースに取り付けたストッパで本体ベースと固定する方法であるが、ストッパに指を入れる部分のスペースが、電磁接触器と補助接点ユニットとの間に確保されている。そのため、電磁接触器に補助接点ユニットを組み付けた時の外形寸法、特に奥行き寸法が大きくなってしまうという問題があった。
【０００７】
また、特許文献２では、補助接点ユニットの下側に、上下方向に弾性変形可能で下面に係止突起を有する係止突片を突設し、電磁接触器の上面に突出した接点作動体の上端に、補助接点作動体の押込み連結片を係合可能な鉤型の連結受片を設けた構造になっているが、これも電磁接触器から補助接点ユニットの取り外し時に、係止突片へ指を入れる部分のスペースを確保する必要があり、その分の奥行き寸法を確保する必要があった。
【０００８】
本発明は、上記に鑑みてなされたものであって、小型化に当たって補助接点ユニットと電磁接触器との間の隙間の空間を詰めても、補助接点ユニットの着脱動作が容易である電磁接触器−補助接点ユニット接続構造を得ることを目的とする。
【課題を解決するための手段】
【０００９】
上述した課題を解決し、目的を達成するために、本発明は、正面に係合穴が設けられた電磁接触器と、背面に設けられたＬ字型突起を係合穴に挿入して下方向へスライドさせることによって電磁接触器の正面に装着されるヘッドオンタイプの補助接点ユニットとを接続する電磁接触器−補助接点ユニット接続構造であって、電磁接触器は、正面に凹部を備え、補助接点ユニットは、背面を上方へ延伸して板バネ状に形成された着脱操作部を備え、着脱操作部は、電磁接触器に補助接点ユニットが装着された際に凹部と係合する係合用突起を有し、係合用突起は、着脱操作部が補助接点ユニットの正面側へ撓められた際に凹部との係合が解除されることを特徴とする。
【発明の効果】
【００１０】
本発明によれば、補助接点ユニットと電磁接触器との間の隙間の空間を詰めても、補助接点ユニットの着脱動作を容易に行えるという効果を奏する。
【図面の簡単な説明】
【００１１】
【図１】図１は、本発明にかかる電磁接触器−補助接点ユニット接続構造の実施の形態に用いられる補助接点ユニットの斜視図である。
【図２】図２は、リアカバーの斜視図である。
【図３】図３は、リアカバーの断面図である。
【図４】図４は、実施の形態にかかる電磁接触器−補助接点ユニット接続構造に用いられる電磁接触器の斜視図である。
【図５】図５は、電磁接触器の断面図である。
【図６】図６は、補助接点ユニットを連結した電磁接触器の斜視図である。
【図７】図７は、補助接点ユニットを連結した電磁接触器の側面図である。
【図８】図８は、補助接点ユニットを装着した電磁接触器の断面図である。
【発明を実施するための形態】
【００１２】
以下に、本発明にかかる電磁接触器−補助接点ユニット接続構造の実施の形態を図面に基づいて詳細に説明する。なお、この実施の形態によりこの発明が限定されるものではない。
【００１３】
実施の形態．
図１は、本発明にかかる電磁接触器−補助接点ユニット接続構造の実施の形態に用いられる補助接点ユニットの斜視図である。補助接点ユニット１０は、ケース１、リアカバー２及び可接キャリア３を有する。ケース１は、補助接点間にアークが発生することを防止するために電気的絶縁用バリア１ａが設けられている。リアカバー２には、後述する電磁接触器２０のケース６と係合するためのＬ字型突起４ａ、４ｂが設けられている。Ｌ字型突起４ａ、４ｂの先端部４ａ１、４ｂ１は、互いに向かい合っている。また、リアカバー２には、電磁接触器２０との着脱の際に用いる着脱操作部５が一体に設けられている。可接キャリア３の先端部は、下側に向かって開いた鉤状となっている。
【００１４】
図２は、リアカバーの斜視図である。図３は、リアカバーの断面図であり、図２におけるＩＩＩ−ＩＩＩ線に沿った断面を示している。着脱操作部５は、補助接点ユニット１０の背面をなすリアカバー２の面を延伸することにより板バネ状に形成されている。着脱操作部５の上部先端には面取りをつけて指掛け部５ａが設けられている。着脱操作部５には、たわませた際に補助接点ユニット１０のケース１と干渉しないようにするためのスリット５ｂが設けられており、着脱操作部５の上部先端は二股に分かれている。二股に分かれた部分の双方に跨るように、たわみ時のストッパーの役割を果たすストッパー５ｃが設けられている。着脱操作部５のリアカバー２の周縁部近傍には、電磁接触器２０との係合に用いる係合用突起５ｄが設けられている。
【００１５】
図４は、実施の形態にかかる電磁接触器−補助接点ユニット接続構造に用いられる電磁接触器の斜視図である。電磁接触器２０は、ケース６、可接キャリア７を有する。ケース６には、補助接点ユニットのＬ字型突起４ａ、４ｂと係合するための係合穴８ａ、８ｂが設けられている。係合穴８ａ、８ｂは、電磁接触器２０の幅方向の中央側の辺に段差部８ａ１、８ｂ１が設けられており、上部での幅はＬ字型突起４ａ、４ｂの幅よりも広く、下部での幅はＬ字型突起４ａ、４ｂの先端部の幅よりも狭くなっている。また、補助接点ユニットの着脱操作部５の係合用突起５ｄが入り込むための凹型のへこみ９が設けられている。可接キャリア７の先端部は、上側に向かって開いた鉤状となっている。
【００１６】
電磁接触器２０に補助接点ユニット１０を取り付けるときは、補助接点ユニット１０のＬ字型突起４ａ、４ｂをケース６の係合穴８ａ、８ｂに差し込んだあと、補助接点ユニット１０を下側へ移動させていく。図５は、電磁接触器の断面図であり、図４におけるＶ−Ｖ線に沿った断面を示す。なお、構造の理解を容易とするために図５においては補助接点ユニット１０の図示は省略している。係合穴８ａ、８ｂは、下部での幅はＬ字型突起４ａ、４ｂの先端部４ａ１、４ｂ１の幅よりも狭くなっているため、補助接点ユニット１０を下側に移動させるとＬ字型突起４ａ、４ｂの先端部４ａ１、４ｂ１はケース６の内側に入り込む。このため、Ｌ字型突起４ａ、４ｂを係合穴８ａ、８ｂに差し込んだ補助接点ユニット１０を下側に移動させると、補助接点ユニット１０の前後方向の動きが規制される。Ｌ字型突起４ａ、４ｂが係合穴８ａ、８ｂの下縁に達するまで補助接点ユニット１０を移動させると、係合完了となる。そのとき、補助接点ユニット１０のリアカバー２に設けられている係合用突起５ｄが電磁接触器２０のケース６に設けられている凹型のへこみ９に入り、補助接点ユニット１０の上下方向の動きが規制される。図６は、補助接点ユニットを連結した電磁接触器の斜視図である。図７は、補助接点ユニットを連結した電磁接触器の側面図である。
【００１７】
図８は、補助接点ユニットを装着した電磁接触器の断面図であり、図６におけるＶＩＩＩ−ＶＩＩＩ線に沿った断面を示す。補助接点ユニット１０が電磁接触器２０と係合すると、電磁接触器２０の可接キャリア７と、補助接点ユニット１０の可接キャリア３との各々の鉤状の先端部が係合して連結され、補助接点ユニット１０は電磁接触器２０の動作に合わせて連動する。
【００１８】
補助接点ユニット１０を電磁接触器２０から取り外す時は、補助接点ユニット１０のリアカバー２に設けた着脱操作部５を用いる。まず、製品上部先端に配置した指掛け部５ａに指をかけ、製品手前方向（図２、図３の矢印方向）に力を加えると、着脱操作部５が製品手前方向にたわむ。着脱操作部５にはスリット５ｂが設けられているため、補助接点ユニット１０のケース１の電気的絶縁用バリア１ａがスリット５ｂに挿入されることにより、電気的絶縁用バリア１ａと干渉することなくたわむ。着脱操作部５のたわみは、ストッパー５ｃが電気的絶縁用バリア１ａに当たったところで規制される。
【００１９】
着脱操作部５のたわみが止まったとき、係合用突起５ｄが、電磁接触器２０のケース６の凹型のへこみ９から外れる。この状態で、補助接点ユニット１０を上側に持ち上げ、Ｌ字型突起４ａ、４ｂが係合穴８ａ、８ｂの上縁にぶつかったところで、補助接点ユニット１０を手前側に引っ張ると、電磁接触器２０から補助接点ユニット１０が外れる。
【００２０】
上記のような着脱操作をする電磁接触器２０と補助接点ユニット１０とにおいて、着脱操作部５を平板で構成し、その先端に指掛け部５ａを設けて製品上部先端に配置したため、電磁接触器２０と補助接点ユニット１０との隙間から指を入れるスペースを削除でき、その分外形寸法、特に奥行き寸法の低減が可能となる。
【産業上の利用可能性】
【００２１】
以上のように、本発明にかかる電磁接触器−補助接点ユニット接続構造は、補助接点ユニットと電磁接触器との間の隙間の空間を詰めても、補助接点ユニットの着脱動作が容易である点で有用である。
【符号の説明】
【００２２】
１、６  ケース
１ａ  電気的絶縁用バリア
２  リアカバー
３、７  可接キャリア
４ａ、４ｂ  Ｌ字型突起
４ａ１、４ｂ１  先端部
５  着脱操作部
５ａ  指掛け部
５ｂ  スリット
５ｃ  ストッパー
５ｄ  係合用突起
８ａ、８ｂ  係合穴
９  へこみ
１０  補助接点ユニット
２０  電磁接触器
【図１】
0005805003.tif 000002
【図２】
0005805003.tif 000003
【図３】
0005805003.tif 000004
【図４】
0005805003.tif 000005
【図５】
0005805003.tif 000006
【図６】
0005805003.tif 000007
【図７】
0005805003.tif 000008
【図８】
0005805003.tif 000009